(57)【要約】【課題】車輌の進入を規制するように地上に立設される車止めの周囲に旗などの表示具を設けるに際して、車止めの周囲における空間の利用効率を向上させることができるだけでなく、外観上も好ましい車止めを提供する。また、表示具の取り付け取り外しにかかる労力が少なく、大幅に作業効率を向上させることができる車止めを提供する。【解決手段】地上に設けられた地上部３と、この地上部３に設けられ、シンボルもしくはメッセージを表示する表示具２の支柱２ａを挿脱可能に支持する支柱支持部６とを備えた。【選択図】図１
2008025259.tif 000002
【特許請求の範囲】
【請求項１】
車輌の進入を規制するように地上に立設される車止めであって、
地上に設けられた地上部と、
この地上部に設けられ、シンボルもしくはメッセージを表示する表示具の支柱を挿脱可能に支持する支柱支持部と、
を備えていることを特徴とする車止め。
【請求項２】
上記地上部は、地上の概ね水平方向の離間したそれぞれの位置に概ね鉛直に設けられた少なくとも２つの脚部と、
これらの脚部から脚部相互の間に概ね水平に延設され、それぞれの脚部を一体に連結するとともに車輌の進入を規制する車輌規制部と、
を備えていることを特徴とする請求項１に記載の車止め。
【請求項３】
上記脚部のうち、少なくとも１つの脚部は、上方に開口し上記表示具の支柱を挿脱可能な脚部開口部を備え、
上記支柱支持部は、この脚部開口部から受け入れた表示具の支柱を、この脚部開口部が設けられた脚部の内部に支持するものであることを特徴とする請求項２に記載の車止め。
【請求項４】
上記車輌規制部は、上方に開口し上記表示具の支柱を挿脱可能な規制部上方開口部と、この規制部上方開口部から受け入れた表示具の支柱を、この車輌規制部の下方に配置された脚部の内部に導入可能な規制部下方開口部とを備え、
上記支柱支持部は、これら規制部上方開口部と規制部下方開口部とを介して受け入れた表示具の支柱を、車輌規制部の下方に配置された脚部の内部に支持するものであることを特徴とする請求項２に記載の車止め。
【請求項５】
上記脚部のうち、少なくとも１つの脚部は、湾曲しながら脚部の上端から車輌規制部へと延設される湾曲部を備え、
この湾曲部は、上方に開口し上記表示具の支柱を挿脱可能な湾曲部開口部を備え、
上記支柱支持部は、この湾曲部開口部から受け入れた表示具の支柱を、この湾曲部開口部が設けられた湾曲部が延設される脚部の内部に支持するものであることを特徴とする請求項２に記載の車止め。
【請求項６】
上記車輌規制部は、上記脚部相互の間に概ね水平に少なくとも２つ設けられ、
これらの概ね水平な車輌規制部のうち、少なくとも２つの車輌規制部の間には、概ね垂直に設けられた垂直補強部が設けられ、
この垂直補強部の上方に配置された車輌規制部は、上方に開口し上記表示具の支柱を挿脱可能な規制部上方開口部と、この規制部上方開口部から受け入れた表示具の支柱を垂直補強部の内部に導入可能な規制部下方開口部とを備え、
上記支柱支持部は、これら規制部上方開口部と規制部下方開口部とを介して受け入れた表示具の支柱を、垂直補強部の内部に支持するものであることを特徴とする請求項２に記載の車止め。
【請求項７】
上記脚部のうち、少なくとも１つの脚部と、上記車輌規制部のうち、少なくとも一つの車輌規制部とは、１つの金属製の管状部材を曲折することにより一体に形成されたものであることを特徴とする請求項２ないし請求項６のいずれかに記載の車止め。
【請求項８】
上記支柱支持部は、上記車止めを構成する部材の内部に設けられ、表示具の支柱をガイドするガイド管と、
ガイド管の下部もしくは車止めを構成する部材の内部に設けられ、表示具の支柱の下端部を係止して支持する係止部と、
をさらに備えていることを特徴とする請求項１ないし請求項７のいずれかに記載の車止め。
【請求項９】
上記表示具は、シンボルもしくはメッセージを表示する旗であり、支柱支持部は、この旗の旗ざおを表示具の支柱として挿脱可能に支持するものであることを特徴とする請求項１ないし請求項８のいずれかに記載の車止め。
【発明の詳細な説明】
【技術分野】
【０００１】
本発明は、例えばスーパーマーケットの駐車場などの道路施設に設けられ、車輌の進入を規制するように地上に立設される車止めに関するものである。
【背景技術】
【０００２】
スーパーマーケットの駐車場などの道路施設において、車輌の進入を規制するように地上に立設される車止めとしては、例えば、鉛直に設けられた複数の脚部の間に水平に設けられた車輌規制部を備えたものが知られている。
【０００３】
また近年、このような車止めの周囲には、特売広告などのメッセージを表示する旗などの表示具が設けられることが多くなっているが、これらの表示具を独立して道路施設に設けようとすると、基礎のためのスペースをわざわざ別に準備する必要があるなど、車止めの周囲における空間の利用効率が悪かった。そのため旗などの表示具を車止めの周囲に設ける場合は、従来、旗ざおなどの支柱を紐やテープなどで車止めの脚部に固定することが一般的であった。
【発明の開示】
【発明が解決しようとする課題】
【０００４】
しかしながら、上述のように表示具の支柱を紐やテープなどで車止めに固定することは、外観上、雑然とした印象を与え好ましくなかった。また、これらの表示具は、いつも表示しなければならないものではなく、そのつど、紐やテープを取り付けたり取り外したりする必要があるので、表示具の取り付け取り外しにかかる労力が大きいなど作業効率が悪いという問題があった。
【０００５】
本発明は上記不具合に鑑みてなされたものであり、表示具の基礎のためのスペースを省略して、車止めの周囲における空間の利用効率を向上させることができるだけでなく、外観上も好ましい車止めを提供することを課題としている。
【０００６】
また、必要に応じてこれらの表示具を、容易に立設したり、撤去したりすることが可能で、表示具の取り付け取り外しにかかる労力が少なく、大幅に作業効率を向上させることができる車止めを提供することを課題としている。
【課題を解決するための手段】
【０００７】
上記課題を解決するための本発明は、車輌の進入を規制するように地上に立設される車止めであって、地上に設けられた地上部と、この地上部に設けられ、シンボルもしくはメッセージを表示する表示具の支柱を挿脱可能に支持する支柱支持部と、を備えていることを特徴とする車止めである。
【０００８】
本発明によれば、車止めの地上部に、表示具の支柱を挿脱可能に支持する支柱支持部が設けられているので、広告の旗など、シンボルもしくはメッセージを表示する表示具の基礎のためのスペースをわざわざ別に準備する必要がない結果、車止めの周囲における空間の利用効率を向上させることができる。また、外観上も好ましい。
【０００９】
さらに、必要に応じてこれらの表示具を、容易に立設したり、撤去したりすることができるので、表示具を設置する際の労力が少なく、大幅に作業効率を向上させることができる。
【００１０】
ここで、上記地上部は、地上の概ね水平方向の離間したそれぞれの位置に概ね鉛直に設けられた少なくとも２つの脚部と、これらの脚部から脚部相互の間に概ね水平に延設され、それぞれの脚部を一体に連結するとともに車輌の進入を規制する車輌規制部と、を備えていることが好ましい。
【００１１】
このようにすれば、車輌の進入を規制する車輌規制部が、複数の脚部相互の間に概ね水平に延設されているので、簡単な構成で、広い範囲で車輌の進入を規制することができる表示具支持可能な車止めを実現することができるようになる。
【００１２】
また、本発明の１つの好ましい実施態様は、上記脚部のうち、少なくとも１つの脚部が、上方に開口し上記表示具の支柱を挿脱可能な脚部開口部を備え、上記支柱支持部が、この脚部開口部から受け入れた表示具の支柱を、この脚部開口部が設けられた脚部の内部に支持するように構成されたものである。
【００１３】
このようにすれば、脚部開口部から表示具の支柱を受け入れて脚部の内部に支持することができるので、脚部を備えた従来の車止めから外観を大きく変更することなく、表示具支持可能な車止めを実現することができる。
【００１４】
また、本発明の別の好ましい態様は、上記車輌規制部が、上方に開口し上記表示具の支柱を挿脱可能な規制部上方開口部と、この規制部上方開口部から受け入れた表示具の支柱をこの車輌規制部の下方に配置された脚部の内部に導入可能な規制部下方開口部とを備え、上記支柱支持部は、これら規制部上方開口部と規制部下方開口部とを介して受け入れた表示具の支柱を、車輌規制部の下方に配置された脚部の内部に支持するように構成してもよい。
【００１５】
このようにすれば、規制部上方開口部から表示具の支柱を受け入れて車輌規制部の下方に配置された脚部の内部に支持することができるので、脚部の上部に車輌規制部を配置するような従来の車止めから外観を大きく変更することなく、表示具支持可能な車止めを実現することができる。
【００１６】
あるいは、別の実施態様として、上記脚部のうち、少なくとも１つの脚部は、湾曲しながら脚部の上端から車輌規制部へと延設される湾曲部を備え、この湾曲部は、上方に開口し上記表示具の支柱を挿脱可能な湾曲部開口部を備え、上記支柱支持部は、この湾曲部開口部から受け入れた表示具の支柱を、この湾曲部開口部が設けられた湾曲部が延設される脚部の内部に支持するようにしてもよい。
【００１７】
このようにすれば、湾曲部開口部から表示具の支柱を受け入れて脚部の内部に支持することができるので、湾曲部を備えた従来の車止めから外観を大きく変更することなく、表示具支持可能な車止めを実現することができる。
【００１８】
あるいは、さらに別の実施態様として、上記車輌規制部は、上記脚部相互の間に概ね水平に少なくとも２つ設けられ、これらの概ね水平な車輌規制部のうち、少なくとも２つの車輌規制部の間には、概ね垂直に設けられた垂直補強部が設けられ、この垂直補強部の上方に配置された車輌規制部は、上方に開口し上記表示具の支柱を挿脱可能な規制部上方開口部と、この規制部上方開口部から受け入れた表示具の支柱を垂直補強部の内部に導入可能な規制部下方開口部とを備え、上記支柱支持部は、これら規制部上方開口部と規制部下方開口部とを介して受け入れた表示具の支柱を、垂直補強部の内部に支持するようにしても良い。
【００１９】
このようにすれば、車輌規制部に設けられた規制部上方開口部から表示具の支柱を受け入れて車輌規制部の間に設けられた垂直補強部の内部に支持することができるので、垂直補強部を備えた従来の車止めから外観を大きく変更することなく、表示具支持可能な車止めを実現することができる。
【００２０】
そして、上記それぞれの実施態様において、上記脚部のうち、少なくとも１つの脚部と、上記車輌規制部のうち、少なくとも一つの車輌規制部とは、１つの金属製の管状部材を曲折することにより一体に形成されたものであることが好ましい。
【００２１】
このようにすれば、脚部と車輌規制部とが１つの金属製の管状部材を曲折することにより一体に形成されるので、脚部と車輌規制部との加工が極めて容易になる結果、表示具を支持することが可能で、かつ製造にかかるコストが安価な車止めを実現することができるようになる。
【００２２】
また、上記支柱支持部は、上記車止めを構成する部材の内部に設けられ、表示具の支柱をガイドするガイド管と、ガイド管の下部もしくは車止めを構成する部材の内部に設けられ、表示具の支柱の下端部を係止して支持する係止部と、をさらに備えていることが好ましい。
【００２３】
このようにすれば、車止めを構成する部材の内部に設けられているガイド管が表示具の支柱をガイドし、係止部が表示具の支柱の下端部を係止して支持するので、ガイド管や係止部を表示具の支柱に適合する寸法にすることにより、いろいろな大きさの車止めに対しても安定して表示具の支柱を支持することが可能な車止めを実現することができるようになる。
【００２４】
そして、上記表示具は、シンボルもしくはメッセージを表示する旗であり、支柱支持部は、この旗の旗ざおを表示具の支柱として挿脱可能に支持するものであることが好ましい。
【００２５】
このようにすれば、旗の旗ざおを表示具の支柱として挿脱可能に支持する支柱支持部を備えた車止めを実現することができる。
【発明の効果】
【００２６】
以上説明したように、本発明によれば、車止めの地上部に、表示具の支柱を挿脱可能に支持する支柱支持部が設けられているので、広告の旗など、シンボルもしくはメッセージを表示する表示具の基礎のためのスペースをわざわざ別に準備する必要がない結果、車止めの周囲における空間の利用効率を向上させることができる。また、外観上も好ましい。
【００２７】
さらに、必要に応じてこれらの表示具を、容易に立設したり、撤去したりすることができるので、表示具を設置する際の労力が少なく、大幅に作業効率を向上させることができるという顕著な効果を奏する。
【発明を実施するための最良の形態】
【００２８】
以下、添付図面を参照しながら本発明の好ましい実施の形態について詳述する。図１は本発明の第１の実施の形態に係る車止め１の構成を示す説明図であり、（ａ）は、上面図、（ｂ）は、正面図、（ｃ）は、側面図をそれぞれ示している。また、図２は、第１の実施の形態に係る車止め１の支柱支持部６の構成を示す側面図であり、図３は、第１の実施の形態に係る車止め１の支柱支持部６に表示具２の支柱２ａが挿入された状態を示す側面図である。
【００２９】
図１〜図３に示すように、本発明の第１の実施の形態に係る車止め１は、例えばスーパーマーケットの駐車場などの道路施設Ｇに設けられ、車輌の進入を規制するように地上に立設される構造物であって、地上に設けられた地上部３と表示具２の支柱２ａを挿脱可能に支持する支柱支持部６を備えている。
【００３０】
上記表示具２は、シンボルもしくはメッセージを視覚的に表示するものであり、本実施形態では、店舗の宣伝用の旗が対象となっている。また、表示具２の支柱２ａとしては旗に付属する旗ざおが対象となっている。
【００３１】
上記地上部３は、２つの脚部４と、車輌の進入を規制する車輌規制部５とを備えている。
【００３２】
上記２つの脚部４は、地上の概ね水平方向の離間したそれぞれの位置に概ね鉛直に設けられた部材であり、本実施形態では、２つの脚部４のうち、一方の脚部４ａは、１本の直線的な金属製の円管で構成され、特に上方に開口し表示具２の支柱２ａを挿脱可能な脚部開口部４ｃを備えている。また、他方の脚部４ｂと、車輌規制部５とは、１つの金属製の管状部材を緩やかにカーブするＬ字状に曲折することにより一体に形成されている。そして、脚部４ａ、４ｂは、それぞれ棒状のアンカーボルト４ｄで地面に固定される。
【００３３】
上記車輌規制部５は、車輌の進入を規制する部分であり、脚部４ａ、４ｂ相互の間に概ね水平に延設され、それぞれの脚部４ａ、４ｂを一体に連結するように構成される。本実施形態では、上側車輌規制部５ａと下側車輌規制部５ｂとの２つの水平な金属製管状部材を備えている。
【００３４】
上記支柱支持部６は、旗ざおである支柱２ａを挿脱可能に支持するものであり、地上部３に設けられ、車止め１の脚部４ａを構成する金属製の管状部材の内部に設けられている。この支柱支持部６は、表示具２の支柱２ａをガイドするガイド管６ａと、車止め１の脚部４ａを構成する金属製の管状部材の内部においてガイド管６ａの下部に設けられ、表示具２の支柱２ａの下端部を係止して支持する係止部６ｂとを備えている。そして、この支柱支持部６は、脚部開口部４ｃから受け入れた表示具２の支柱２ａを、この脚部開口部４ｃが設けられた脚部４の内部に支持するようになっている。
【００３５】
次に図３を参照して、本発明の第１の実施の形態に係る車止め１の作用について説明する。図３は、第１の実施の形態に係る車止め１の支柱支持部６に表示具２の支柱２ａが挿入された状態を示している。
【００３６】
図３に示すように、本発明の第１の実施の形態に係る車止め１においては、脚部４（４ａ、４ｂ）相互の間に概ね水平に延設され、それぞれの脚部４を一体に連結する車輌規制部５ａ、５ｂが、車輌の進入を規制しているが、この時、一方の脚部４の脚部開口部４ｃから表示具２の支柱２ａが受け入れられ、支柱支持部６の金属製管部材からなるガイド管６ａが、脚部４の内部において表示具２の支柱２ａである旗ざおをガイドする。また、脚部４の内部においてガイド管６ａの下方に設けられたピン状の係止部６ｂが、表示具２の支柱２ａの下端部を係止して支持する。このように、表示具２の支柱２ａが、脚部開口部４ｃが設けられた脚部４の内部に挿脱可能に支持される。
【００３７】
以上説明したように、本発明の第１の実施の形態に係る車止め１によれば、車止め１の地上部３に、表示具２の支柱２ａを挿脱可能に支持する支柱支持部６が設けられているので、宣伝用の旗など、シンボルもしくはメッセージを表示する表示具２の基礎のためのスペースをわざわざ別に準備する必要がない結果、車止め１の周囲における空間の利用効率を向上させることができる。また、外観上も好ましい。
【００３８】
さらに、必要に応じてこれらの表示具２を、容易に立設したり、撤去したりすることができるので、表示具２を設置する際の労力が少なく、大幅に作業効率を向上させることができる。
【００３９】
また、車輌の進入を規制する車輌規制部５が、複数の脚部４相互の間に概ね水平に延設されているので、簡単な構成で、広い範囲で車輌の進入を規制することができる表示具支持可能な車止め１を実現することができるようになる。
【００４０】
また、脚部開口部４ｃから表示具２の支柱２ａを受け入れて脚部４ａの内部に支持することができるので、脚部４を備えた従来の車止め１から外観を大きく変更することなく、表示具支持可能な車止め１を実現することができる。
【００４１】
また、脚部４ｂと車輌規制部５とが１つの金属製の管状部材を曲折することにより一体に形成されるので、脚部４と車輌規制部５との加工が極めて容易になる結果、表示具２を支持することが可能で、かつ製造にかかるコストが安価な車止め１を実現することができるようになる。
【００４２】
また、車止め１を構成する部材の内部に設けられているガイド管６ａが表示具２の支柱２ａをガイドし、係止部６ｂが表示具２の支柱２ａの下端部を係止して支持するので、ガイド管６ａや係止部６ｂを表示具２の支柱２ａに適合する寸法にすることにより、いろいろな大きさの車止め１に対しても安定して表示具２の支柱２ａを支持することが可能な車止め１を実現することができるようになる。
【００４３】
このように、本発明の第１の実施の形態に係る車止め１によれば、旗の旗ざおを表示具２の支柱２ａとして挿脱可能に支持する支柱支持部６を備えた車止め１を実現することができる。
【００４４】
次に図４と図５とに示すように、本発明の第２の実施の形態に係る車止め１１について説明する。図４は、本発明の第２の実施の形態に係る車止め１１の構成を示す説明図であり、（ａ）は、上面図、（ｂ）は、正面図、（ｃ）は、側面図をそれぞれ示している。また、図５は、第２の実施の形態に係る車止め１１の支柱支持部１６の構成を示す側断面図である。なお以下の説明では、本発明の第１の実施の形態に係る車止め１と同様の部材には同一の符号を付し、重複する説明を省略するものとする。
【００４５】
図４と図５に示すように、本発明の第２の実施の形態に係る車止め１１においては、３つの脚部１４（１４ａ、１４ｂ、１４ｃ）と、１つの車輌規制部１５とが設けられ、車輌規制部１５に、表示具２の支柱２ａを受け入れ可能な開口が設けられている。すなわち、車輌規制部１５が、上方に開口し表示具２の支柱２ａを挿脱可能な規制部上方開口部１５ａと、この規制部上方開口部１５ａから受け入れた表示具２の支柱２ａをこの車輌規制部１５の下方に配置された脚部１４ｂの内部のガイド管１６ａと係止部１６ｂとに導入可能な規制部下方開口部１５ｂとを備えている。そして、支柱支持部１６は、規制部上方開口部１５ａと規制部下方開口部１５ｂとを介して受け入れた表示具２の支柱２ａを、車輌規制部１５の下方に配置された脚部１４ｂの内部のガイド管１６ａと係止部１６ｂとに支持するように構成されている。
【００４６】
このように本発明の第２の実施の形態に係る車止め１１によれば、規制部上方開口部１５ａから表示具２の支柱２ａを受け入れて車輌規制部５の下方に配置された脚部１４ｂの内部に支持することができるので、脚部１４の上部に車輌規制部１５を配置するような従来の車止めから外観を大きく変更することなく、表示具支持可能な車止め１１を実現することができる。
【００４７】
次に図６と図７とを参照して、本発明の第３の実施の形態に係る車止め２１について説明する。図６は本発明の第３の実施の形態に係る車止め２１の構成を示す説明図であり、（ａ）は、上面図、（ｂ）は、正面図、（ｃ）は、側面図をそれぞれ示している。また、図７は、第３の実施の形態に係る車止め２１の湾曲部２７ａの構成を示す側断面図である。
【００４８】
図６と図７とに示すように、本発明の第３の実施の形態に係る車止め２１においては、２つの脚部２４（２４ａ、２４ｂ）と２つの車輌規制部２５（２５ａ、２５ｂ）とが設けられている。そして、脚部２４（２４ａ、２４ｂ）は、それぞれ湾曲しながら脚部２４の上端から車輌規制部２５へと延設される湾曲部２７ａ、２７ｂを備えており、一方の脚部２４ａの湾曲部２７ａは、上方に開口し表示具２の支柱２ａを挿脱可能な湾曲部開口部２７ｃを備えている。そして、支柱支持部２６は、この湾曲部開口部２７ｃから受け入れた表示具２の支柱２ａを、この湾曲部開口部２７ｃが設けられた脚部２４ａの内部のガイド管２６ａと係止部２６ｂとに支持するように構成されている。
【００４９】
このように本発明の第３の実施の形態に係る車止め２１によれば、湾曲部開口部２７ｃから表示具２の支柱２ａを受け入れて脚部２４ａの内部に支持することができるので、湾曲部を備えた従来の車止めから外観を大きく変更することなく、表示具支持可能な車止め２１を実現することができる。
【００５０】
次に、図８〜図１０を参照して、本発明の第４の実施の形態に係る車止め３１について説明する。図８は、本発明の第４の実施の形態に係る車止め３１の構成を示す説明図であり、（ａ）は、上面図、（ｂ）は、正面図、（ｃ）は、側面図をそれぞれ示している。また、図９は、垂直補強部３８の上部の構成を示す正面断面図であり、図１０は、垂直補強部３８の下部の構成を示す正面断面図である。
【００５１】
図８〜図１０に示すように、本発明の第４の実施の形態に係る車止め３１においては、２つの脚部３４（３４ａ、３４ｂ）と、これらの脚部３４ａ、３４ｂ相互の間に概ね水平に２つの車輌規制部３５（３５ａ、３５ｂ）とが設けられている。また、車輌規制部３５ａ、３５ｂの間には、概ね垂直に設けられた垂直補強部３８が設けられ、この垂直補強部３８の上方に配置された車輌規制部３５ａは、上方に開口し表示具２の支柱２ａを挿脱可能な規制部上方開口部３５ｃと、この規制部上方開口部３５ｃから受け入れた表示具２の支柱２ａを垂直補強部３８の内部に導入可能な規制部下方開口部３５ｄとを備え、支柱支持部３６は、これら規制部上方開口部３５ｃと規制部下方開口部３５ｄとを介して受け入れた表示具２の支柱２ａを、垂直補強部３８の内部に支持するようにしている。
【００５２】
このように本発明の第４の実施の形態に係る車止め３１によれば、車輌規制部３５に設けられた規制部上方開口部３５ｃから表示具２の支柱２ａを受け入れて車輌規制部３５ａ、３５ｂの間に設けられた垂直補強部３８の内部に支持することができるので、垂直補強部３８を備えた従来の車止めから外観を大きく変更することなく、表示具支持可能な車止め３１を実現することができる。
【００５３】
上述した実施の形態は本発明の好ましい具体例を例示したものに過ぎず、本発明は上述した実施の形態に限定されない。
【００５４】
例えば、第１の実施の形態に係る車止め１において、車止め１は、地上部３として２つの鉛直な脚部４と、車輌の進入を規制する水平な車輌規制部５とを備えたものに限定されない。車輌の進入を規制するように地上に立設される地上部３と、表示具２の支柱２ａを挿脱可能に支持する支柱支持部６とを備えているものであれば、地上部３として１つの基礎部と、この基礎部において鉛直に設けられた車輌規制部５とを備えたものでもよいなど、種々の設計変更が可能である。
【００５５】
また、表示具２も旗に限定されない。シンボルもしくはメッセージを表示するものであれば、看板状のものでもよいなど、種々の表示具２に適用可能である。
【００５６】
さらに、車輌規制部５も、脚部４も、金属製の円管で構成されている必要はなく、棒状や柱状の部材であってもよい。
【００５７】
また、２つの脚部４のうち、一方の脚部４が、脚部開口部４ｃを備え、他方の脚部４と、車輌規制部５とは、１つの金属製の管状部材を曲折することにより一体に形成されているが、両方の脚部４が脚部開口部４ｃを備えていてもよい。
【００５８】
また、ガイド管６ａは必ずしも必須でなく、支柱支持部６としては管状の脚部４の内部に直接、表示具２の支柱２ａを挿脱可能に支持するように構成されたものでもよい。また、係止部６ｂも必ずしも必須でない。
【００５９】
また、第２の実施の形態に係る車止め１１においても、必ずしも図５のように、中央の脚部１４ｂに支柱支持部１６が設けられたものに限定されない。両端の脚部１４ａ、１４ｃにおいて、車輌規制部１５が規制部上方開口部と規制部下方開口部とを備え、これら規制部上方開口部と規制部下方開口部との下方に配置された脚部１４ａ、１４ｃの内部に表示具２の支柱２ａを支持するように構成されているものも採用可能である。
【００６０】
また、本発明の第３の実施の形態に係る車止め２１においても、湾曲部２７ａと湾曲部開口部２７ｃとは、一つずつである必要はない。車輌規制部２５の両端部に湾曲部と湾曲部開口部とをそれぞれ備えたものでも採用可能である。
【００６１】
また、本発明の第４の実施の形態に係る車止め３１においても、車輌規制部３５は、２つである必要はなく、３つ以上であってもよい。また、垂直補強部３８も一つに限定されず、複数あるものも採用可能である。
【００６２】
その他、本発明の特許請求の範囲内で種々の設計変更が可能であることはいうまでもない。
【図面の簡単な説明】
【００６３】
【図１】本発明の第１の実施の形態に係る車止めの構成を示す説明図であり、（ａ）は、上面図、（ｂ）は、正面図、（ｃ）は、側面図をそれぞれ示している。
【図２】第１の実施の形態に係る車止めの支柱支持部の構成を示す側面図である。
【図３】第１の実施の形態に係る車止めの支柱支持部に表示具の支柱が挿入された状態を示す側面図である。
【図４】本発明の第２の実施の形態に係る車止めの構成を示す説明図であり、（ａ）は、上面図、（ｂ）は、正面図、（ｃ）は、側面図をそれぞれ示している。
【図５】第２の実施の形態に係る車止めの支柱支持部の構成を示す側断面図である。
【図６】本発明の第３の実施の形態に係る車止めの構成を示す説明図であり、（ａ）は、上面図、（ｂ）は、正面図、（ｃ）は、側面図をそれぞれ示している。
【図７】第３の実施の形態に係る車止めの湾曲部の構成を示す側断面図である。
【図８】本発明の第４の実施の形態に係る車止めの構成を示す説明図であり、（ａ）は、上面図、（ｂ）は、正面図、（ｃ）は、側面図をそれぞれ示している。
【図９】垂直補強部の上部の構成を示す正面断面図であり、
【図１０】垂直補強部の下部の構成を示す正面断面図である。
【符号の説明】
【００６４】
１、１１、２１、３１  車止め
２    表示具
２ａ  支柱
３    地上部
４、１４、２４、３４  脚部
４ｃ  脚部開口部
５、１５、２５、３５  車輌規制部
６、１６、２６、３６  支柱支持部
６ａ、１６ａ、２６ａ、３６ａ  ガイド管
６ｂ、１６ｂ、２６ｂ、３６ｂ  係止部
１５ａ、３５ｃ  規制部上方開口部
１５ｂ、３５ｄ  規制部下方開口部
２７ａ、２７ｂ  湾曲部
２７ｃ  湾曲部開口部
３８  垂直補強部
【図１】
2008025259.tif 000003
【図２】
2008025259.tif 000004
【図３】
2008025259.tif 000005
【図４】
2008025259.tif 000006
【図５】
2008025259.tif 000007
【図６】
2008025259.tif 000008
【図７】
2008025259.tif 000009
【図８】
2008025259.tif 000010
【図９】
2008025259.tif 000011
【図１０】
2008025259.tif 000012